(57)【要約】【課題】パソコンに対して、複数種類のメモリカードを使用自在にするアタッチメントにおいて、不要なメモリカードをスロットの中に差し込むことができないようにするロック装置を提供すること。【解決手段】１つのスロットを厚さと大きさの異なる少なくとも２つのメモリカードが共用するメモリカードアタッチメントにおいて、１のメモリカードがスロット中にある時、該１のメモリカードの押圧で該スロットの空きスペースに突出して他のメモリカードの進入を阻止するロック装置を具備することを特徴とするメモリカードアタッチメントのロック装置である。本発明は、余計なメモリカードをスロットの中に差し込むことができないので、従来のように、アタッチメントやメモリカードを破壊するようなことがなくなり、さらにコンピュータの書き込み読み出し動作に障害を来すようなことがなくなった。【選択図】図１
2005182662.tif 000002
【特許請求の範囲】
【請求項１】
１つのスロットを厚さと大きさの異なる少なくとも２つのメモリカードが共用するメモリカードアタッチメントにおいて、
１のメモリカードがスロット中にある時、該１のメモリカードの押圧で該スロットの空きスペースに突出して他のメモリカードの進入を阻止するロック装置を具備することを特徴とするメモリカードアタッチメントのロック装置。
【請求項２】
１のメモリカードと他のメモリカードが共に占有するスロットの一部を共用していることを特徴とする請求項１に記載のメモリカードアタッチメントのロック装置。
【請求項３】
１のメモリカードと他のメモリカードが占有するスロットの別々の部分を使用していることを特徴とする請求項１に記載のメモリカードアタッチメントのロック装置。
【発明の詳細な説明】
【技術分野】
【０００１】
本発明は、メモリカードアタッチメントの構造に関するもので、特に使用するメモリカードのみ差し込み使用が可能なメモリカードアタッチメントのロック装置に関するものである。
【背景技術】
【０００２】
パソコンは、大きな普及をしており、今や一般人の手軽な持ち物となっている。
大きな普及を成したパソコンにおいて、内部には種々のメモリを有しているが、他人と手渡しでデータを遣り取りしたり、他人からのデータを記憶したメモリからデータを取り入れたりする場合、メモリカードと称する外部メモリを使用する場合がある。この種の外部メモリは、今や十種類近くにもおよび、それぞれの構造が皆異なっている。この種メモリカードすべての形状構造にパソコンを対応させるためには、アタッチメントを必要とする。このアッタチメントの中には、各種のメモリカードを装着するメモリ収容部を一カ所としてこれを各種のメモリで共用し、省スペース化を計っているものがある。
【０００３】
メモリカードの中には、薄くて小さなもの，厚くて大きなものなど種々ある。前記アタッチメントは、これら多くの種類のものに対応させているため、１つのメモリ収容部即ちスロットは、一番厚手のもの、一番幅のあるものに対応する大きさを備えている。薄くて小型の例えばｘＤ-ピクチャーカード（商標名）をスロットの中に差し込んでアタッチメントを使用ているときは、スロットには大きな空間が存在することになる。例えば、小さなメモリカードが差し込まれているのに気が付かず、空いている空間に別のメモリカードを無理に差し込むと、アタッチメントを破壊したり、メモリカードを割ってしまうような不都合が生じる。
【特許文献１】特開２００１−２２３０４４号公報
【特許文献２】実開平６−１３０７１号公報
【発明の開示】
【発明が解決しようとする課題】
【０００４】
本発明は、このような従来の不都合を解消しようとするもので、その目的とするところは、パソコンに対して、複数種類のメモリカードを使用自在にするアタッチメントにおいて、不要なメモリカードをスロットの中に差し込むことができないようにするロック装置を提供することにある。
【課題を解決するための手段】
【０００５】
上記のごとき本発明の目的を達成するために、本願発明の請求項１に記載の発明は、１つのスロットを厚さと大きさの異なる少なくとも２つのメモリカードが共用するメモリカードアタッチメントにおいて、１のメモリカードがスロット中にある時、該１のメモリカードの押圧で該スロットの空きスペースに突出して他のメモリカードの進入を阻止するロック装置を具備することを特徴とするメモリカードアタッチメントのロック装置を提供する。
本願の請求項２に記載の発明は、請求項１に記載の発明に加えて、１のメモリカードと他のメモリカードが共に占有するスロットの一部を共用していることを特徴とするメモリカードアタッチメントのロック装置を提供する。
本願の請求項３に記載の発明は、請求項１に記載の発明に加えて、１のメモリカードと他のメモリカードが占有するスロットの別々の部分を使用していることを特徴とするメモリカードアタッチメントのロック装置を提供する。
【発明の効果】
【０００６】
複数種類のメモリカードの使用を自在にするアタッチメントにおいて、余計なメモリカードをスロットの中に差し込むことができないので、従来のように、アタッチメントやメモリカードを破壊するようなことがなくなり、さらにコンピュータの書き込み読み出し動作に障害を来すようなことがなくなった。
【発明を実施するための最良の形態】
【０００７】
上記アタッチメントは、形状やコンタクト端子の位置が異なる５種類のメモリーカード（スマートメディアカード、ＳＤカード、マルチメディアカード、メモリスディック、ｘＤ-ピクチャーカード（いづれも商標名））のうちの何れか１枚を装着して、これらに情報を書き込んだり、これらから情報を読み出すことが出来るアタッチメントであるが、例えば、ｘＤ-ピクチャーカード（商標名）はこれらのメモリカードの中で、一番薄く、しかも小型である。また、スマートメディアカード（商標名）は、幅は大きいが、厚さは薄い。事故の一番起こりやすいケースとして、スロットの壁面に沿ってスマートメディアカード（商標名）が挿入されているときに、それに気付かずに、他のメモリカードを無理に挿入しようとするときである。
本発明では、どのようなカードが一つでも挿入されていれば、スリットに空間が生じていても、他のカードを挿入することができないようなロック機能が働くことである。
【実施例１】
【０００８】
次に、本発明の一実施例を、図面を用いて詳細に説明する。
本発明は、図１に示すように、合成樹脂等の絶縁物により薄い箱型のハウジング１００を有する。図２に示すようｊに、前面Ｆにこれらメモリカードを挿入装着するためのスロット１０１が形成されている。また後壁Ｂには、これらメモリカードの端子と接続してデータを導出するための引き出し端子１０２が多数設けられている。
【０００９】
箱型に形成されたハウジング１００の内部には、これらメモリを収納するためのカード収容部１０３が形成されている。カード収容部１０３の入り口は前面に開口している前記スロット１０１であり、その入り口から各種のカード（Ｃａｒｄ）を挿脱する。その入り口形状はほぼ凸字形をしている。
【００１０】
ここで、図２，３に示すように六面体の箱形に形成されたアタッチメントのスロット１０１の凸字形を正しく読める状態にして、ハウジング１００を平面上に載置したとき、平面と接する面を下壁面ＢＷ、その反対側を上壁面ＵＷ、スロット１０３を形成した面を前壁面Ｆ、その反対面を後壁面Ｂ、左右の側壁を側壁面ＲＷ、ＬＷと定義する。
【００１１】
スロット１０１の最下部からは下壁面ＢＷに沿って、薄くて幅広のメモリ、スマートメディアカード（商標名）を挿入することができる。また、他の４種類のメモリカードは何れも凸字の上部に挿入装着する。これらのカードは、スマートメディアカード（商標名）の装着がないとき、これの専有部分を共用しても良い。スロット１０１の左右には、凹状レール１０１’が形成されている。ｘＤ-ピクチャーカード（商標名）の両側はこの凹状レール１０１’の中を進む。ＳＤカード（商標名）、マルチメディアカード（商標名）は、この凹状レール１０１’にガイドされる。メモリスチック（商標名）は、この凹状レール１０１’の内側を進む。
【００１２】
これら複数のメモリカードをそれぞれ装着するカード収容部１０３を形成するため、ハウジング１００を基函１０４、この基函１０４内部にはまり込む中子１０５、中子１０５を収容した基函１０４に被せる上蓋１０６の３パートで構成している。
下壁面ＢＷの内側には、スマートメディアカード（商標名）の２２個の端子と接続する２２個のピン１０７が固定されており、これらのピン１０７の先端は、メモリカードの端子に対して弾性的に変位してこの端子と接触すると共に、ピン１０７は後壁面から導出される引き出し端子１０２と接続している。
【００１３】
中子１０５は、基函１０４の中にきっちりとはまり込むように構成され、またその底面端縁１０５’は、基函１０４の段部１０４’の上に乗って、基函１０４の下壁面から少し浮き上がって、隙間を作って装着され、中子１０５の底面と下壁面ＢＷの内側間のその隙間に、スマートメディアカード（商標名）が挿入される。中子１０５の中央部分は、他の４種類のメモリカードが収容されるメモリ挿入穴が設けられているので、中子１０５は、平面的に見て、カタカナ”コ”字形をしている。そして、その基幹部１０８には、メモリスチックカード（商標名）の端子と接触するピン１０９が設けられている。中子１０５の両脇に伸びる腕部分の内側には、特にｘＤ-ピクチャーカード（商標名）その他のカードが表裏正しい方向に挿入されるように導く前記凹状レール１０１’が形成されている。
【００１４】
上蓋１０６の両面には、プリント配線回路が形成されていると共に、その内側には、メモリカードと弾性的に接触するピン１１１が形成され、これらは、プリント配線を介して、後壁面から導出される引き出し端子１０２と接続している。
上記のごとく、凸字形の入り口の凸字の下部からは、薄くて幅広のメモリ、スマートメディアカード（商標名）をアタッチメント内に挿入することができる。また、凸字形をしたカード収容部１０３入り口の中央部分上側からは、幅狭の厚みがある４種類のメモリカード（ＳＤカード、マルチメディアカード、メモリスディック、ｘＤ-ピクチャーカード（いづれも商標名））を挿入することができ、このため、カード収容部１０３内には、これらのメモリカードを正しい位置まで導くための前記凹状レール１０１’等の導入手段が設けられている。
【００１５】
下壁面には、薄くて幅広のメモリ、スマートメディアカード（商標名）の挿入の有無を検知するためのスイッチ（未図示）が設けられている。
また、上壁面には、ＳＤカード（商標名）の挿入の有無を検知するスイッチ１１３とＳＤカード（商標名）のライトプロテクト用のスイッチ１１４が設けられている。
なお、各メモリカードと接触するピン、プロテクトスイッチ等の構造は、要旨外なので、その存在や簡単な説明のみを行い、詳細な構造の説明は避けてある。
【００１６】
次に、或るメモリカードがスロット１０１の中に挿入されているとき、他のメモリカードがスロット１０１内に挿入できないようなロック装置の構造を説明する。
図１において、中子１０５の腕先端近傍に設けられた溝２には、不要なメモリカードが挿入されることを防止するロックピース３が挿入される。なお、溝２の後端に設けられた穴４は、ロックピース３に付属する板バネ５の先端である板バネ固定部８を差し込むためのものである。ロックピース３は、図４に詳細に示すように、ストッパー柱６とその側部に設けられた滑動部７を有する。ロックピース３の後側には、鈎型をした板バネ５が延びている。図５は、ロックピース３が溝２に嵌め込まれた状態を示す。この状態では、板バネ５の先端に設けられた板バネ固定部８は穴４に嵌め込まれている。
【００１７】
次に、本発明に係るロック装置の動作について、説明する。
図４に示す状態は、スロット１０１には何もメモリカードが挿入されていない状態であって、この時には、板バネ５によってロックピース３の下面３’は、中子１０５の腕下面と並行にされている。そして、滑動部７は、カード収容部１０３内に突出している。ロックピース３がこの位置を取るときは、薄いスマートメディアカード（商標名）をスロット１０１の下部に挿入しても、この挿入を阻止するものはない（図６参照）。
【００１８】
スマートメディアカード（商標名）をスロット１０１の下部に挿入し終わると、このカードの表面は、ロックピース３の下面と接触して、これの動きを阻止する。
この状態から、スロット１０１の上部の隙間に例えばメモリスチック（商標名）を挿入しようとすると、これの先端が滑動部７の滑動面を押し下げようとするが、ロックピース３の下面３’はスロット１０１に挿入されているスマートメディアメモリカード（商標名）に邪魔されて動きがとれず、結局スロット１０１に挿入することができない。
【００１９】
次に、図４に示す状態から、スロット１０１の上部に例えば、メモリスティック（商標名）を挿入すると、図７に示すように、このカードがロックピース３の滑動面７を押し下げて、スマートメディアカード（商標名）が挿入される隙間に突出する。この状態から、スロット１０１の下部の隙間にスマートメディアカード（商標名）を挿入しようとするとその先端は、メモリスティック（商標名）に押し下げられたロックピース３に突き当たり、挿入することができない。
ＳＤカード、マルチメディアカード、メモリスティック、ｘＤ-ピクチャーカード（いづれも商標名））は自己の使用するカード収容部１０３内のスペースを他のカードが使用するスペースと重なるため、カード収容部１０３内にこれらを重ねて挿入することはないが、スマートメディアカード（商標名）とこれら４種類のカードの間で、２枚挿入の危険が生じるが、ＳＤカード、マルチメディアカード、ｘＤ-ピクチャーカード（いづれも商標名））がカード収容部１０３内に挿入されるとき、メモリスチック（商標名）と同様にロックピース３が介在して、スマートメディアカード（商標名）との相互間で、同様なロック作用が働く。
以上説明したように、本発明は、５種類のメモリカードのうち、一枚でもスロット１０１に挿入すると、ロック装置が他のメモリカードのスロットへの挿入を阻止するので、従来のような不都合は起こらない。
【産業上の利用可能性】
【００２０】
以上本願発明をパソコンのアタッチメントとして説明したが、これをパソコンの内部に組み込んで、マルチカード使用スロットとしても利用の可能性がある。
また、上記実施例は、１のメモリカードと他のメモリカードが共に占有するスロットの一部を共用しているものについて説明したが、本発明を、１のメモリカードと他のメモリカードが占有するスロットの別々の部分を使用しているものについても適用できることはいうまでもない。
【図面の簡単な説明】
【００２１】
【図１】図１は、本願発明の分解斜視図である。
【図２】図２は、本願発明の使用状態を示す斜視図である。
【図３】図３は、本願発明の正面図である。
【図４】図４は、中子の部分斜視図である。
【図５】図５は、ロックピースの拡大斜視図である。
【図６】図６は、動作説明図である。
【図７】図７は、同じく動作説明図である。
【符号の説明】
【００２２】
２−−溝
３−−ロックピース
３’−下面
４−−穴
５−−板バネ
６−−ストッパ柱
７−−滑動部
８−−板バネ固定部
１００−−ハウジング
Ｆ−−−−前面
１０１−−スロット
１０１’−−凹状レール
Ｂ−−−−後壁
１０２−−引き出し端子
１０３−−カード収容部
ＢＷ−−−下壁面
ＵＷ−−−上壁面
１０４−−基函
１０５−−中子
１０６−−上蓋
１０７−−ピン
１０８−−基幹部
１０９−−ピン
１１０−−スロット
１１１−−ピン
１１２−−スイッチ
１１３−−スイッチ
１１４−−スイッチ
【図１】
2005182662.tif 000003
【図２】
2005182662.tif 000004
【図３】
2005182662.tif 000005
【図４】
2005182662.tif 000006
【図５】
2005182662.tif 000007
【図６】
2005182662.tif 000008
【図７】
2005182662.tif 000009